(57)【要約】　　　（修正有）【課題】マイナスイオン発生用の電極が湿った空気中の水分で電気分解されて硝酸の結晶が早期に付着し、イオンの発生能力が低下してしまうという問題と、結晶排除のためのお手入れ回数を減らし、高電圧発生のため危険な掃除を少なくする。【解決手段】送風装置１０によって吸込口から風路４内に吸い込まれた室内の乾燥した空気をヒーター１４を通過させて加熱した後、水槽部１６の水により湿潤した気化フィルター１５を通過し、吹出口１３から吹き出される加湿器において、送風装置１０のケーシング１０ｃの一部から気化フィルター１５部を通過しない第二風路８を形成し、この第二風路８内に高電圧回路部６に接続されたマイナスイオン発生用の電極５を設置し、さらに第二風路８を吹出口１３に接続した。【選択図】　図１
2004012029.tif 000002
【特許請求の範囲】
【請求項１】
水槽部（１６）と、この水槽部（１６）に一定量の水を供給する給水用水タンク（３）と、室内の乾燥した空気を取入れる吸込口（１２）と室内に湿った空気を送る吹出口（１３）と、両口（１２）（１３）間を連絡する風路（４）中に配設された送風装置（１０）と、この送風装置（１０）の出口側に配設されたヒーター（１４）と、下端部を水槽部（１６）内の水に浸漬した気化フィルター（１５）とにより構成され、送風装置（１０）によって吸込口（１２）から風路（４）内に吸い込まれた室内の乾燥した空気をヒーター（１４）を通過させて加熱した後、水槽部（１６）の水により湿潤した気化フィルター（１５）を通過し、吹出口（１３）から吹き出される加湿器において、送風装置（１０）のケーシング（１０ｃ）の一部から気化フィルター（１０）部を通過しない第二風路（８）を形成し、この第二風路（８）内に高電圧回路部（６）に接続されたマイナスイオン発生用の電極（５）を設置し、さらに第二風路（８）を吹出口（１３）に接続したことを特徴とする加湿器。
【発明の詳細な説明】
【０００１】
【発明の属する技術分野】
本発明は、マイナスイオン発生装置を備えた加湿器に関するものである。
【０００２】
【従来の技術】
従来、高電圧回路によるマイナスイオン発生装置を備えた空気清浄器として、特開２００１−３３８７４４公報等に示すものがある。
【０００３】
また、加湿器においても、蒸気の吹出口にマイナスイオン発生装置を備えたものが公知となって販売されている。
【０００４】
まず、従来例の空気清浄器を図４に従って説明すると、２１は空気清浄器本体で、その内部にはモーター２２、ファン２３からなる送風装置２４が備えられ、ファン２３の吸込口２５には空気清浄フィルター２６が取り付けられている。また、ファン２３の外周部にはケーシング２７が形成され、モーター２２によりファン２３が回転し、ケーシング２７に沿って風が発生するようになっている。
【０００５】
前記風はケーシング２７の内壁に沿って吐き出し方向に形成された風路２８から吹出口２９を経由し、室内に放出される。
【０００６】
３０はマイナスイオン発生用の電極で、その先端部は吹出口２９近傍の風路２８内に設置されている。３１は高電圧回路部で、ケーシング２７の外側で本体２１内の空間内に設置されており、マイナス高電圧端子３２を有して前記マイナスイオン発生用の電極３０に接続されている。３３は制御基板で、運転やモーター２２の回転数及びマイナスイオンの発生をコントロールするものであり、これもケーシング２７の外側で本体２１内の空間内に設置されている。
【０００７】
次に、その動作について説明する。
【０００８】
制御基板３３上の運転スイッチを入れると、モーター２２によりファン２３が回転し、吸込口２５に設けた空気清浄フィルター２６を通過し、ほこり等がないきれいな空気となってケーシング２７に沿って風路２８を通り吹出口２９より室内に放出される。この時、マイナスイオン発生用の電極３０の先端からマイナスイオンが放出され、第一風路２８内の風に乗り、吹出口２９より室内に放出される。
【０００９】
また、加湿器の例としては、図５及び図６に示す構成のものが公知である。
【００１０】
これらの図において、１は縦長箱型の本体、２はこの本体１の一側下部に配設された水槽、１６は水槽２の横に並べて配設された水槽部で、両者は樹脂により一体に成形されており、ともに底部で連なって同一レベルの水を貯水する。そして、この水槽２と水槽部１６は本体１の背面に設けた開口部１ａを通して本体１の外に取り出し可能となっている。
【００１１】
３は給水用水タンクで、本体１の上面から本体１内に挿入され、水槽２上に載置されて該水槽２内に一定量の水を供給する。
【００１２】
１２は室内の乾燥した空気を本体１内に取入れる吸込口で、本体１の側面部に開口している。１３は室内に湿った空気を送る吹出口で、本体１の上面に開口している。１０は吸込口１２から吹出口１３に至る風路４中に配設された送風装置で、モーター１０ａとファン１０ｂ及びファン１０ｂの外周部に形成されたケーシング１０ｃとで構成され、その吐出口側には風を加熱するヒーター１４と、全面に小穴が明けられた吸水性の良い横長方形の気化フィルター１５が配設され、その下端部が水槽部１６内の水に浸漬されている。
【００１３】
そして、送風装置１０によって吸込口１２から吸い込まれた室内の乾燥した空気は風路４内でヒーター１４を通過後、水槽部１６の水により湿潤した気化フィルター１５部を通過し、吹出口１３から室内へ湿った空気を放出する。
【００１４】
１７は枠体よりなるフィルターケースで、水槽部１６内で該水槽部１６と一体に成形され、気化フィルター１５の周囲を覆って該気化フィルター１５を収納しており、両側面の略中間に支点１８が設けられている。１９はこの支点１８を受ける支点受け部で、水槽部１６の両側面の後部側に、該両側面の上面に開口するように設けられ、気化フィルター１５をその開口部を通して取り外せるようになっている。
【００１５】
次に、５はマイナスイオン発生用の電極で、その先端部は吹出口１３近傍の風路４内に突出するように設置されている。６は高電圧回路部で、送風装置１０の外側で本体１内の空間内に設置されており、前記マイナスイオン発生用の電極５に接続されている。
【００１６】
次に、その動作について説明する。
【００１７】
加湿器を運転するに当たっては、まず、給水用水タンク３に水を入れ、本体１の上面から水槽２に設置する。
【００１８】
これにより、水槽２と連通した水槽部１６にも給水用水タンク３からの一定量の水が流れ出し、この水槽部１６に浸漬された気化フィルター１５の下部を満たし、気化フィルター１５は水を吸上げ、湿潤する。
【００１９】
この状態で送風装置１０を駆動すると、吸込口１２から吸い込まれた室内の乾燥した空気は、風路４中に設けたヒーター１４により加熱され、さらに、加熱された温風は下部が水槽部１６内の水に浸漬されて湿潤した気化フィルター１５を通過し、気化フィルター１５内の水を気化させるとともに、吹出口１３へ吸込まれ、室内に放出される。
【００２０】
この時、マイナスイオン発生用の電極５の先端からマイナスイオンが放出され、送風装置１０から送風される風路４内の風に乗り、吹出口１３より室内にマイナスイオンが放出される。
【００２１】
【発明が解決しようとする課題】
上記した二つの従来装置においては、前者及び後者ともマイナスイオンを発生する電極３０及び５を吹出口２９及び１３の近傍に取り付けてマイナスイオンを風に乗せて室内に放出するようにしている。
【００２２】
しかし、前者の空気清浄器はともかくとして、後者の加湿器は湿った空気を室内に放出し、室内の加湿を行うものであるため、マイナスイオン発生用の電極５がそのまま送風装置１０の風路４内に露出しており、加湿動作中、電極５が湿った空気に触れる。
【００２３】
このような状態で使用し続けると、湿った空気中の水分が電極５の先端で電気分解され、硝酸の結晶が早期に付着し、イオンの発生能力が低下してしまうという問題があり、また、結晶排除のためのお手入れ回数が増え、万一、通電中にお手入れした場合には高電圧発生のため危険を伴うという問題があった。
【００２４】
【課題を解決するための手段】
本発明は、上記の問題点を解消するものであり、具体的には、水槽部と、この水槽部に一定量の水を供給する給水用水タンクと、室内の乾燥した空気を取入れる吸込口と室内に湿った空気を送る吹出口と、両口間を連絡する風路中に配設された送風装置と、この送風装置の出口側に配設されたヒーターと、下端部を水槽部内の水に浸漬した気化フィルターとにより構成され、送風装置によって吸込口から風路内に吸い込まれた室内の乾燥した空気をヒーターを通過させて加熱した後、水槽部の水により湿潤した気化フィルターを通過し、吹出口から吹き出される加湿器において、送風装置のケーシングの一部から気化フィルター部を通過しない第二風路を形成し、この第二風路内に高電圧回路部に接続されたマイナスイオン発生用の電極を設置し、さらに第二風路を吹出口に接続したものである。
【００２５】
これによって、マイナスイオン発生用の電極が湿った空気と触れることがなくなり、電極の先端にできる硝酸結晶の形成時間が延びるものである。
【００２６】
【発明の実施の形態】
以下本発明の一実施例を添付図面中の図１〜図３に従って説明する。
【００２７】
図において、１０ｃは送風装置１０のケーシングで、上部側の一部にファン１０ｂからの風の一部を吹き出す風出口７を設けている。８はこの風出口７と本体１の上面に設けた吹出口１３の一部とを連絡する第二風路で、気化フィルター１５を通過して上昇する湿った空気の風路４とは仕切板８ａで仕切られている。なお、吹出口１３は風路４の吹出口１３とは別にしても良い。
【００２８】
５はマイナスイオン発生用の電極で、第二風路８の壁面に取り付けられており、その先端部は吹出口１３近傍の第二風路８内に突出している。
【００２９】
また、この電極５は、図３に示すように針状の電極部５ａとこの電極部５ａを保持する電極保持部５ｂとからなり、電極保持部５ｂは第二風路８の壁面に差し込まれている。
【００３０】
６は高電圧回路部で、送風装置１０の外側で本体１内の空間内に設置されており、マイナスイオン発生用の電極５に接続されている。
【００３１】
なお、他の構成については図５及び図６に示すものと同様であり、また、加湿動作についても図５及び図６に示すものと同様であり、その説明は省略する。
【００３２】
次に、図５及び図６に示すものと相違する動作について説明する。
【００３３】
加湿の運転が行われると、第二風路８に設けた電極５においては、高電圧回路部６から高電圧が供給され、電極部５ａの先端付近でマイナスイオンが発生し、そのマイナスイオンはケーシング１０ｃの風出口７より吐き出される風にのり、第二風路８を経由し、吹出口１３の近傍で風路４内を上昇する湿った空気と合体し、吹出口１３から一緒に室内に放出される。
【００３４】
従って、マイナスイオン発生用の電極５は風路４内の湿った空気と触れることがなくなり、電極部５ａの先端にできる硝酸結晶の形成時間が延び、危険とされるお手入れの回数も少なくなる。
【００３５】
【発明の効果】
以上の様に本発明によれば、送風装置によって吸込口から風路内に吸い込まれた室内の乾燥した空気をヒーターを通過させて加熱した後、水槽部の水により湿潤した気化フィルターを通過し、吹出口から吹き出される加湿器において、送風装置のケーシングの一部から気化フィルター部を通過しない第二風路を形成し、この第二風路内に高電圧回路部に接続されたマイナスイオン発生用の電極を設置し、さらに第二風路を吹出口に接続したものである。
【００３６】
これによって、マイナスイオン発生用の電極が湿った空気にさらされることがないため、その先端に形成される硝酸結晶も形成されにくくなり、寿命が延び、危険とされるお手入れの回数も少なくなり、より安全な加湿器を提供することができるものである。
【図面の簡単な説明】
【図１】本発明の一実施例を示す概略正面図である。
【図２】本発明の一実施例を示す概略側面断面図である。
【図３】本発明の一実施例を示す要部拡大断面図である。
【図４】従来例の空気清浄器の概略構造断面図である。
【図５】従来例の加湿器の概略正面図である。
【図６】従来例の加湿器の概略側面断面図である。
【符号の説明】
１　　加湿器の本体
２　　水槽
３　　給水用水タンク
４　　風路
５　　電極
６　　高電圧回路部
８　　第二風路
１０　　送風装置
１２　　吸込口
１３　　吹出口
１４　　ヒーター
１５　　気化フィルター
１６　　水槽部
【図１】
2004012029.tif 000003
【図２】
2004012029.tif 000004
【図３】
2004012029.tif 000005
【図４】
2004012029.tif 000006
【図５】
2004012029.tif 000007
【図６】
2004012029.tif 000008